(57)【要約】【課題】  使用する記録媒体において最適な色再現が行われるように色処理を簡易に行うことができる画像処理装置及び画像処理方法を提供する。【解決手段】  記録媒体指示部１で、出力カラー画像信号によって実際に画像を形成するのに使用する記録媒体（ターゲット記録媒体）を指定する。またプロファイル指示部２で、入力カラー画像信号に対応するプロファイルを指定する。記録媒体補正部３は、指定されたターゲット記録媒体と、指定されたプロファイルが前提としている標準記録媒体との色再現特性の違いを補正する。標準入力画像信号色変換部４は、記録媒体補正部３で補正した入力カラー画像信号に対して、プロファイル指示部２で指定されたプロファイルに従った色変換を行う。また出力画像信号変換部５は、実際に画像を形成する装置に対応するプロファイルを用いて色変換を行い、出力カラー画像信号を出力する。【選択図】  図１
2005184116.tif 000002
【特許請求の範囲】
【請求項１】
カラー画像信号に対する色処理を行う画像処理装置において、色変換の目標となる標準記録媒体の色再現特性を記述したプロファイルを指定するプロファイル指定手段と、実際に使用する記録媒体を指定する記録媒体指定手段と、前記記録媒体指定手段による記録媒体の指定及び前記プロファイル指定手段で指定されたプロファイルに従って色変換を行う色変換手段を有することを特徴とする画像処理装置。
【請求項２】
前記色変換手段は、前記指定されたプロファイルとして、外部から受け取ったプロファイルを利用可能であることを特徴とする請求項１に記載の画像処理装置。
【請求項３】
前記色変換手段は、前記プロファイル指定手段によって外部から受け取ったプロファイルが指定された場合に、当該プロファイルを作成した時の記録媒体の指定についても受け取って前記標準記録媒体とすることを特徴とする請求項２に記載の画像処理装置。
【請求項４】
さらに、外部から受け取った前記プロファイルを作成した時の記録媒体を予測する記録媒体予測手段を有し、前記色変換手段は、前記記録媒体予測手段で予測した記録媒体を前記標準記録媒体とすることを特徴とする請求項２に記載の画像処理装置。
【請求項５】
前記記録媒体予測手段は、前記プロファイル中のカラールックアップテーブルを用いて記録媒体の予測を行うことを特徴とする請求項４に記載の画像処理装置。
【請求項６】
前記記録媒体予測手段は、所定値を前記プロファイルに従って変換して出力された値を参照して記録媒体の予測を行うものであり、前記所定値は、Ｋ＝１００％と飽和色を含むことを特徴とする請求項４または請求項５に記載の画像処理装置。
【請求項７】
前記色変換手段は、前記記録媒体指定手段によって指定された記録媒体と前記標準記録媒体との色再現特性の違いを補正するとともに前記プロファイル指定手段で指定されたプロファイルに従った色変換を行うことを特徴とする請求項１ないし請求項６のいずれか１項に記載の画像処理装置。
【請求項８】
前記色変換手段は、前記記録媒体指定手段によって指定された記録媒体と前記標準記録媒体との色再現特性の違いに応じて前記プロファイル指定手段で指定されたプロファイルを補正し、補正したプロファイルに従って色変換を行うことを特徴とする請求項１ないし請求項６のいずれか１項に記載の画像処理装置。
【請求項９】
カラー画像信号に対する色処理を行う画像処理方法において、色変換の目標となる標準記録媒体の色再現特性を記述したプロファイルの指定を受けるとともに、実際に使用する記録媒体の指定を受け、前記記録媒体の指定及び前記プロファイルの指定に従って前記カラー画像信号に対して色変換処理を行うことを特徴とする画像処理方法。
【請求項１０】
前記色変換処理は、前記指定されたプロファイルとして、外部から受け取ったプロファイルを利用可能であることを特徴とする請求項９に記載の画像処理方法。
【請求項１１】
前記色変換処理は、外部から受け取ったプロファイルの使用が指定された場合に、当該プロファイルを作成した時の記録媒体の指定についても受け取って前記標準記録媒体とすることを特徴とする請求項１０に記載の画像処理方法。
【請求項１２】
さらに、外部から受け取った前記プロファイルを作成した時の記録媒体を予測し、予測した記録媒体を前記標準記録媒体とすることを特徴とする請求項１０に記載の画像処理方法。
【請求項１３】
前記記録媒体の予測は、前記プロファイル中のカラールックアップテーブルを用いて行うことを特徴とする請求項１２に記載の画像処理方法。
【請求項１４】
前記記録媒体の予測は、所定値を前記プロファイルに従って変換して出力された値を参照して行うものであり、前記所定値は、Ｋ＝１００％と飽和色を含むことを特徴とする請求項１２または請求項１３に記載の画像処理方法。
【請求項１５】
前記色変換処理は、前記指定された記録媒体と前記標準記録媒体との色再現特性の違いを補正するとともに前記指定されたプロファイルに従った色変換を行うことを特徴とする請求項９ないし請求項１４のいずれか１項に記載の画像処理方法。
【請求項１６】
前記色変換手段は、前記指定された記録媒体と前記標準記録媒体との色再現特性の違いに応じて前記指定されたプロファイルを補正し、補正したプロファイルに従って色変換を行うことを特徴とする請求項９ないし請求項１４のいずれか１項に記載の画像処理方法。
【請求項１７】
カラー画像信号に対する色処理をコンピュータに実行させる画像処理プログラムにおいて、請求項９ないし請求項１６のいずれか１項に記載の画像処理方法をコンピュータに実行させることを特徴とする画像処理プログラム。
【請求項１８】
カラー画像信号に対する色処理をコンピュータに実行させる画像処理プログラムを格納したコンピュータが読取可能な記憶媒体において、請求項９ないし請求項１６のいずれか１項に記載の画像処理方法をコンピュータに実行させる画像処理プログラムを格納したことを特徴とするコンピュータが読取可能な記憶媒体。
【発明の詳細な説明】
【技術分野】
【０００１】
本発明は、ディジタル複写機及びプリンタ等において記録媒体に画像を形成する際に、カラー画像信号に対して色処理を行う画像処理技術に関するものである。
【背景技術】
【０００２】
異なる入出力デバイス間でのカラーマネージメント処理、すなわち、どの入力デバイス及び出力デバイスを用いてもほぼ同様の色が再現されるための処理を行う際に、それぞれのデバイスの色特性を記述したプロファイルを利用してカラーマッチング処理（色一致処理）を行う手法が知られている。このようなデバイスごとのプロファイルの規格としては、ＩＣＣで規格化されているプロファイルが標準的に使われており、一般的となっている。ＩＣＣプロファイルは、色校正、カラープルーフ等にも使用されており、従来の色校正では、色を合わせたい印刷機から校正用カラープリンタへの色変換処理にも用いられている。
【０００３】
一般に、色校正の際に与えられたカラー画像信号は出力対象とする印刷機に応じた色空間の信号であり、例えばＣＭＹＫ色空間が用いられる。そのため、色校正を行う場合には、印刷機のプロファイルでＣＭＹＫ色空間のカラー画像信号を、一旦、機器に依存しない色空間のカラー画像信号に変換し、その後、校正用カラープリンタのプロフファイルで当該カラープリンタに依存したＣＭＹＫ色空間のカラー画像信号へと変換を行う。例えば特許文献１に記載されているように、各機器のプロファイルを用いるか、あるいは実際の測色値を用いるかを選択して色変換を行うことも考えられている。あるいは、特許文献２に記載されているように、標準の印刷プロファイルを用いるとともに、それぞれの出力対象となるプリンタ固有の階調特性について補正を行うように構成したものもある。
【０００４】
それぞれのデバイスごとに用意されているプロファイルの多くは、標準的な記録媒体を用いた場合に対応したものである。例えばプリンタのような出力デバイスを考えると、同じ記録材を用いても、画像を形成する記録媒体によって色再現特性が大きく異なってしまう。図１５は、代表的な紙質におけるＣＭＹＫ階調特性を示すグラフ、図１６は、同じく色再現域を示すグラフである。図１５には、それぞれの原色Ｃ、Ｍ、Ｙ、Ｋ単色で階調表現を行ったときの階調特性を示しており、横軸が色材量（％）を、縦軸が紙白からの色差ΔＥを示している。この図１５を参照して分かるように、アート紙、コート紙などに比べて、上質紙を用いた場合には、中、高濃度域において所望の発色が得られていないことが分かる。また図１６に示すように、再現可能な色範囲についても、アート紙に比べて上質紙は狭く、鮮やかな色が再現できていないことが分かる。
【０００５】
このように紙質によって階調特性や色再現域が異なるため、標準的な印刷条件のプロファイルを用いて色変換を行い、画像を形成しても、用いる記録媒体によって再現される色が異なってしまうという問題がある。
【０００６】
このような記録媒体ごとに異なる色再現特性を考慮して色変換処理を行うためには、使用する記録媒体の色再現特性を考慮したプロファイルを使用する必要がある。従って、標準的な記録媒体以外の記録媒体に印刷した場合でも、他の印刷物と色を合わせようとすると、新たにプロファイルを生成しなければ色変換を行うことができないという問題がある。プロファイルの生成には、プロファイル作成アプリケーションや高価な測定器が必要となるため、簡易に色を合わせることができないという問題もある。
【０００７】
さらに、それぞれの記録媒体に対応するプロファイルを用意するとしても、それぞれの装置その他の印刷特性に応じたそれぞれのプロファイルについて、多数の記録媒体に対応した複数のプロファイルを用意することになり、その数は膨大なものとなる。また、プロファイルを利用する際にも、そのような膨大な数のプロファイルの中から所望のプロファイルを選択することは容易ではなく、利用しづらくなるという問題があった。
【０００８】
【特許文献１】特開２００２−１５２５４２号
【特許文献２】特開平１１−１８７２７８号
【発明の開示】
【発明が解決しようとする課題】
【０００９】
本発明は、上述した事情に鑑みてなされたもので、使用する記録媒体において最適な色再現が行われるように色処理を簡易に行うことができる画像処理装置及び画像処理方法を提供することを目的とするものである。また、そのような画像処理装置の機能または画像処理方法をコンピュータに実行させる画像処理プログラム、及び、そのような画像処理プログラムを格納した記憶媒体を提供することを目的とするものである。
【課題を解決するための手段】
【００１０】
本発明は、カラー画像信号に対する色処理を行う画像処理装置において、色変換の目標となる標準記録媒体の色再現特性を記述したプロファイルとともに、実際に使用する記録媒体を指定することができる。そして、これら指定されたプロファイルと記録媒体に従って、カラー画像信号に対して色変換を行うことを特徴としている。指定するプロファイルとしては、外部から与えたプロファイルを利用可能である。また、外部から与えたプロファイルを使用する場合には、さらに、当該プロファイルを作成した時の記録媒体の指定についても行って、指定された記録媒体を標準記録媒体として扱う。あるいは、外部から与えられたプロファイルを作成した時の記録媒体を予測し、標準記録媒体として扱うこともできる。
【００１１】
色変換の処理としては、指定された記録媒体と標準記録媒体との色再現特性の違いを補正し、それとともに、指定されたプロファイルに従った色変換を行えばよい。あるいは、指定された記録媒体と標準記録媒体との色再現特性の違いに応じて指定されたプロファイルを補正し、補正したプロファイルに従って色変換を行うように構成することもできる。
【発明の効果】
【００１２】
本発明によれば、使用するプロファイルとともに、使用する記録媒体を指定するので、記録媒体に応じて、例えば標準記録媒体との差分の補正を行ったり、プロファイルを変更することによって、指定された使用する記録媒体において最適なカラー画像信号に色変換処理が施される。これによって、簡単に良好な色再現を実現することができるという効果がある。
【００１３】
また、使用するプロファイルと記録媒体とを別々に指定することによって、予めそれぞれの記録媒体を考慮したプロファイルを作成する場合に比べてプロファイルの数を少なく抑えることができ、ユーザによるプロファイルの選択を容易に行うことができる。さらに、外部からプロファイルを与えることもでき、その場合に標準記録媒体となる記録媒体の指定を受けることによって、同様に使用する記録媒体との違いを補正し、あるいは違いに基づいてプロファイルを変更し、使用する記録媒体に最適な色再現を行うことができるという効果がある。
【発明を実施するための最良の形態】
【００１４】
図１は、本発明の第１の実施の形態を示すブロック図である。図中、１は記録媒体指示部、２はプロファイル指示部、３は記録媒体補正部、４は標準入力画像信号色変換部、５は出力画像信号変換部である。本発明における入力カラー画像信号は、ある特定の装置において、特定の記録媒体を用いて印刷することを想定して作成されたものである。また、処理が施されて出力される出力カラー画像信号は、実際に印刷出力する装置及び記録媒体において印刷するための画像信号である。
【００１５】
記録媒体指示部１は、出力カラー画像信号によって実際に画像を形成するのに使用する記録媒体（以下、ターゲット記録媒体と呼ぶ）を指定する。またプロファイル指示部２では、入力カラー画像信号に対応するプロファイルを指定する。このプロファイルは、入力カラー画像信号が色変換の目標としている色再現特性を記述したものであり、標準記録媒体を用いて画像を形成することを前提にしている。
【００１６】
記録媒体補正部３、標準入力画像信号色変換部４、出力画像信号変換部５は、本発明の色変換手段を構成するものであり、記録媒体指示部１による記録媒体の指定及びプロファイル指示部２で指定されたプロファイルに従って色変換を行う。
【００１７】
記録媒体補正部３は、記録媒体指示部１によって指定されたターゲット記録媒体と、プロファイル指示部２で指定されたプロファイルが前提としている標準記録媒体との色再現特性の違いを補正する。違いの補正は、両者の印刷条件の差分を補正すればよい。
【００１８】
標準入力画像信号色変換部４は、プロファイル指示部２で指定されたプロファイルに従った色変換を行う。また出力画像信号変換部５は、実際に画像を形成する装置に対応するプロファイルを用いて色変換を行う。この標準入力画像信号色変換部４及び出力画像信号変換部５によって、入力カラー画像信号が想定している出力装置と、実際に画像を形成する装置との間での色の一致を図っている。
【００１９】
従来より、標準入力画像信号色変換部４及び出力画像信号変換部５による色変換は行われているが、実際に画像を形成する際に用いるターゲット記録媒体が標準記録媒体と異なると、上述のように色が異なってしまうことがあった。本発明では、記録媒体補正部３で補正処理を行うことによって、記録媒体の色再現特性の違いを補正し、異なる記録媒体を用いても色の一致を実現している。また、指示されたプロファイルについてはそのまま用いており、測色や新たなプロファイルの生成などを行うことなく、簡易に色の一致を図ることができる。
【００２０】
図２は、本発明の第１の実施の形態における動作の一例を示すフローチャートである。まずＳ３１において、記録媒体指示部１においてターゲット記録媒体を指定する。またＳ３２において、入力カラー画像信号に対応するプロファイルを指定する。このＳ３１における記録媒体の指定とＳ３２におけるプロファイルの指定は、いずれが先に行われてもよい。なお、Ｓ３２で指定されたプロファイルは、そのまま標準入力画像信号色変換部４において色変換を行う際に用いられる色変換係数としてＳ３６で決定する。
【００２１】
Ｓ３３において、Ｓ３１で指定されたターゲット記録媒体が、Ｓ３２で指定されたプロファイルが想定している標準記録媒体であるか否かを判定する。異なる場合には、Ｓ３４においてターゲット記録媒体の階調特性を取得し、これを用いてＳ３５において記録媒体指示部１で補正処理に用いる補正係数を決定する。例えば指定されたターゲット記録媒体と標準記録媒体との色再現特性の差分を補正する補正係数を決定すればよい。
【００２２】
ターゲット記録媒体が標準記録媒体と一致する場合には、記録媒体補正部３で補正処理を行う必要はない。従って、補正処理を行わないものとして、Ｓ３５において補正を行わないものと決定し、記録媒体補正部３で補正処理を省略する。あるいは、補正されない補正係数を決定する。
【００２３】
このようにしてＳ３５で決定された補正係数を記録媒体補正部３に設定し、またＳ３６で決定した色変換係数を標準入力画像信号色変換部４に設定する。そして、入力カラー画像信号に対して記録媒体補正部３でターゲット記録媒体に対応するための補正処理を行い、標準入力画像信号色変換部４で補正処理後の入力カラー画像信号を機器に依存しないカラー画像信号に変換し、さらに出力画像信号変換部５で実際に画像を形成する装置に依存した出力カラー画像信号に変換して出力する。
【００２４】
図３、図４は、記録媒体指示部１及びプロファイル指示部２によるターゲット記録媒体及びプロファイルの指定画面の一例の説明図である。図２のＳ３１におけるターゲット記録媒体の指定及びＳ３２におけるプロファイルの指定は、例えば図３に示すようなユーザインタフェースを用いて行うことができる。図３、図４に示した表示画面の例では、印刷モード、ＲＧＢ色補正、ＣＭＹＫ色補正、プロファイル作成用紙、ターゲット用紙、ドットゲインなどの項目が並べられている。このうちＣＭＹＫ色補正の入力項目がプロファイル指示部２によるプロファイルの指定を行う部分である。プロファイル作成用紙の欄には、選択されたプロファイルが想定している標準記録媒体が表示されている。ここでは、選択可能なプロファイルと標準記録媒体とが対応づけられているものとしている。また、ターゲット用紙の入力項目が記録媒体指示部１によるターゲット記録媒体の指定を行う部分である。
【００２５】
図３に示す例ではＣＭＹＫ色補正の項目で「Ｊ−Ｃｏｌｏｒ」が選択されており、対応するプロファイルが指定されている。また、このプロファイルにおける標準記録媒体が「アート紙」であることがプロファイル作成用紙欄に表示されている。また、ターゲット記録媒体としてターゲット用紙の欄に「上質紙」が指定されている。上述のプロファイル作成用紙欄に表示されている標準記録媒体の指定である「アート紙」とは記録媒体が異なる。このように標準記録媒体とターゲット記録媒体とが異なる場合には、図２に示した動作例において、Ｓ３４でターゲット記録媒体の階調特性を取得し、標準記録媒体との差分を補正係数としてＳ３５で決定する。そして、その補正係数を用いて記録媒体指示部１で補正処理を行うことによって、記録媒体が異なることによる色再現特性の違いを吸収し、色再現域の範囲内で色の一致を実現することができる。
【００２６】
図４に示す例では、図３に示す例と同様にＣＭＹＫ色補正の項目で「Ｊ−Ｃｏｌｏｒ」が選択されている。また、ターゲット記録媒体としてターゲット用紙の欄において「アート紙」が指定されている。この例の場合には、プロファイル作成用紙欄に表示されている標準記録媒体の指定である「アート紙」とターゲット用紙欄において指定されているターゲット記録媒体とが一致する。このように標準記録媒体とターゲット記録媒体とが一致する場合には、図２に示した動作例において、Ｓ３３からＳ３５へ進み、補正処理を行わないものと決定し、記録媒体補正部３での補正処理を省略することができる。あるいは、補正されない補正係数を決定する。
【００２７】
図５は、本発明の第１の実施の形態における変形例を示すブロック図である。図中、６は標準入出力画像信号変換部である。図１に示した構成例では、標準入力画像信号色変換部４と出力画像信号変換部５によって、入力側のプロファイルに従った色変換処理と出力側のプロファイルに従った色変換処理をそれぞれ行った。この図５（Ａ）に示す変形例では、例えば入力側のプロフィルと出力側のプロファイルを一体化したリンクプロファイルが与えられる場合の構成を示している。標準入出力画像信号変換部６では、プロファイル指示部２で指定されたリンクプロファイルを用いて、記録媒体補正部３で補正された入力カラー画像信号に対して色変換処理を行い、出力カラー画像信号を得るものである。
【００２８】
図５（Ｂ）に示す変形例では、記録媒体補正部３と標準入力画像信号色変換部４の処理順序を変更した例を示している。このように、標準入力画像信号色変換部４で色変換した後のカラー画像信号に対して、使用する記録媒体に応じた補正処理を記録媒体補正部３で行うように構成することもできる。なお、標準入力画像信号色変換部４において例えば装置非依存の色空間のカラー画像信号に変換するなど、入力カラー画像信号とは異なる色空間に変換していることも多く、その場合には記録媒体補正部３は対応する色空間において、記録媒体の色再現特性に応じた補正処理を行うことになる。
【００２９】
また、記録媒体補正部３の処理順序を、出力画像信号変換部５の後としたり、図５（Ａ）に示した構成において、標準入出力画像信号変換部６と記録媒体補正部３の処理順序を入れ替える変形も可能である。
【００３０】
図６は、本発明の第２の実施の形態を示すブロック図である。図中、図１と同様の部分には同じ符号を付して重複する説明を省略する。１１はプロファイル入力部、１２はプロファイル格納部、１３はプロファイル記録媒体指示部である。この第２の実施の形態では、外部から与えられるプロファイルを利用した色変換処理を可能とした例を示している。プロファイル入力部１１は、外部から与えられるプロファイルを受け取る。例えば実際に画像形成装置により記録媒体に色パッチを印刷し、その色パッチを測色して作成したプロファイルを入力することができる。
【００３１】
プロファイル格納部１２は、プロファイル入力部１１で受け取ったプロファイルを格納する。もちろん、予め提供されている標準記録媒体を用いたプロファイルを格納しておいてもよい。プロファイル指示部２は、このプロファイル格納部１２に格納されているプロファイルを指定することができる。
【００３２】
プロファイル記録媒体指示部１３は、プロファイル指示部２で指定されたプロファイルが、上述のように測色により作成したプロファイルをプロファイル入力部１１で受け取ったものである場合、そのプロファイルを作成したときに用いた記録媒体の指定を受ける。このプロファイル記録媒体指示部１３で指定された記録媒体が標準記録媒体として用いられる。
【００３３】
図７は、本発明の第２の実施の形態における動作の一例を示すフローチャートである。なお、図２と同様の処理を行うステップには、同じ符号を付してある。この第２の実施の形態では、Ｓ３１でターゲット記録媒体を指定し、またＳ４２でプロファイル格納部１２に格納されているプロファイルを指定するとともに、Ｓ４１において、Ｓ４２で指定したプロファイルを作成したときに用いた記録媒体をプロファイル記録媒体指示部１３で指定する。指定された記録媒体を標準記録媒体として、以後の処理で用いる。これら３つの指定は、いずれを先に行ってもよい。なお、Ｓ４２で指定されたプロファイルは、そのまま標準入力画像信号色変換部４において色変換を行う際に用いられる色変換係数としてＳ３６で決定する。
【００３４】
Ｓ４３において、Ｓ３１で指定されたターゲット記録媒体と、Ｓ４１で指定された記録媒体（標準記録媒体）とが一致するか否かを判定する。異なる場合には、Ｓ３４においてターゲット記録媒体の階調特性を取得し、これを用いてＳ３５において記録媒体指示部１で補正処理に用いる補正係数を決定する。例えばＳ３１指定されたターゲット記録媒体とＳ４１で指定された標準記録媒体との色再現特性の差分を補正する補正係数を決定すればよい。
【００３５】
ターゲット記録媒体が標準記録媒体と一致する場合には、記録媒体補正部３で補正処理を行う必要はない。従って、補正処理を行わないものとして、Ｓ３５において補正を行わないものと決定し、記録媒体補正部３で補正処理を省略する。あるいは、補正されない補正係数を決定する。
【００３６】
このようにしてＳ３５で決定された補正係数を記録媒体補正部３に設定し、またＳ３６で決定した色変換係数を標準入力画像信号色変換部４に設定する。そして、入力カラー画像信号に対して記録媒体補正部３でターゲット記録媒体に対応するための補正処理を行い、標準入力画像信号色変換部４で補正処理後の入力カラー画像信号を機器に依存しないカラー画像信号に変換し、さらに出力画像信号変換部５で実際に画像を形成する装置に依存した出力カラー画像信号に変換して出力する。
【００３７】
図８は、記録媒体指示部１、プロファイル指示部２、プロファイル記録媒体指示部１３による指定画面の一例の説明図である。図８に示す例は上述の図３，図４と同様の項目が表示され、入力可能に構成されているが、この例ではＣＭＹＫ色補正欄において「ユーザプロファイル１」が指定されている。この指定は、外部からプロファイル入力部１１で受け取り、プロファイル格納部１２に格納されているプロファイルを指定するものである。
【００３８】
ユーザなどによって作成されて外部より与えられたプロファイルについては、そのプロファイルを作成したときに用いた記録媒体は不明である。そのため、この例のように外部から入力されたプロファイルの使用が指定された場合、そのプロファイルを作成したときに用いた記録媒体をプロファイル作成用紙の欄で指定する。ここでは「アート紙」が指定されている。
【００３９】
また、ターゲット記録媒体としてターゲット用紙の欄に「上質紙」が指定されていることから、標準記録媒体（プロファイル作成用紙の欄で指定された記録媒体）とターゲット記録媒体（ターゲット用紙の欄で指定された記録媒体）とが異なるので、図７に示した動作例において、Ｓ３４でターゲット記録媒体の階調特性を取得し、標準記録媒体との差分を補正係数としてＳ３５で決定する。そして、その補正係数を用いて記録媒体指示部１で補正処理を行うことによって、記録媒体が異なることによる色再現特性の違いを吸収し、色再現域の範囲内で色の一致を実現する。
【００４０】
このように、使用するプロファイルを作成したときに用いた記録媒体指示部１３で指定することによって、外部から与えたプロファイルを用いる場合でも記録媒体間の色再現特性の違いを補正することが可能となり、種々の記録媒体において、より色再現性を向上させることができる。
【００４１】
図９は、本発明の第２の実施の形態における変形例を示すブロック図である。図中、１４はプロファイル記録媒体予測部、１５はプロファイル記録媒体表示部である。図６に示した構成例では、外部から入力されたプロファイルを用いる場合には、そのプロファイルを作成したときに用いた記録媒体をプロファイル記録媒体指示部１３で指定した。この変形例では、指定されたプロファイルから、作成時に用いた記録媒体をある程度予測する例を示している。
【００４２】
実際に使用される記録媒体は多様であるが、色再現特性については類似しているものをまとめることによって、ある程度グループ分けすることができる。プロファイル記録媒体予測部１４では、プロファイル指示部２で指定されたプロファイルが、どのような色再現特性を有する記録媒体であるかを予測する。そしてその予測結果をプロファイル記録媒体表示部１５で表示してユーザに知らせる。記録媒体の予測には、プロファイル内のカラールックアップテーブルを使用することができる。このカラールックアップテーブルを用いて所定値を変換し、出力される値を参照することによって、記録媒体をある程度予測することができる。なお、所定値としては、例えばＫ＝１００％や飽和色（ＣまたはＭまたはＹ＝１００％）、その他各種の色を用いることができる。
【００４３】
図１０は、プロファイル記録媒体予測部１４においてプロファイル作成時に用いた記録媒体を判定する方法の一例の説明図である。まずＳ５１において、プロファイル作成時に使用した記録媒体を分類するための所定値を用意する。所定値としては、Ｋ＝１００％とＫを含む複数のデータ、及び、飽和色（ＣまたはＭまたはＹ＝１００％）とＣＭＹからなる複数のデータを用意する。Ｓ５２において、これらの所定値を指定されたプロファイルを用いて変換し、例えばＳ５３ではＣＭＹＫ網％の値を算出する。Ｓ５４において、Ｓ５３で算出したＣＭＹＫ網％の値を閾値と比較することによって、プロファイル作成時に用いた記録媒体を分類することができる。
【００４４】
あるいは、Ｓ５２でプロファイルを用いて変換した結果からＳ５５で明度、彩度を算出し、その明度、彩度を閾値とＳ５６で比較することによって、プロファイル作成時に用いた記録媒体を分類することができる。もちろん、Ｓ５３，Ｓ５４におけるＣＭＹＫ網％を用いた判定と、Ｓ５５，Ｓ５６における明度及び彩度を用いた判定とを併用してもよい。
【００４５】
このような判定を、Ｓ５１で用意した所定値毎に行い、それぞれの判定結果を総合して記録媒体を分類することができる。このとき、例えばＫ＝１００％と飽和色の判定結果を優先し、それらの判定結果が同じ分類結果を示さないとき、他の色を用いた判定結果を用いるように構成するなど、使用する色に優先順位や重み付けを行って分類を行ってもよい。
【００４６】
このようにして記録媒体の分類を行ったら、分類された記録媒体の代表的なものをプロファイル記録媒体表示部１５で表示し、ユーザに知らせる。例えば上述の図３，図４に示したような表示画面によりプロファイル及びターゲット記録媒体の指定を行う際に、プロファイル作成用紙の欄に予測した記録媒体の種類を表示することができる。もちろん、図８に示したようにプロファイル作成用紙の欄を入力可能とし、予測した記録媒体の種類を予め表示しておくように構成してもよい。
【００４７】
以降の処理は図２あるいは図７に示した動作例と同様であり、分類された記録媒体の色再現特性を上述の標準記録媒体の色再現特性として使用し、ターゲット記録媒体との色再現特性の差分を補正する補正係数を求めて記録媒体補正部１で補正処理を行えばよい。
【００４８】
図１１は、本発明の第２の実施の形態における別の変形例を示すブロック図である。図中、１６は入出力画像信号変換部である。例えば外部から与えられるプロファイルとして、それぞれの記録媒体ごとに作成されたプロファイルが与えられることも考えられる。このような場合には、記録媒体指示部１及びプロファイル指示部２で指定された記録媒体及び標準記録媒体を想定したプロファイルの両方に従って、プロファイル格納部１２に格納されているプロファイルを選択すればよい。
【００４９】
図１１に示した例では、外部から与えられた記録媒体ごとのプロファイルがリンクプロファイルの場合を示しており、入出力画像信号変換部１６は、記録媒体指示部１３で指定された記録媒体及びプロファイル指定部２で指定されたプロファイルに対応するプロファイルをプロファイル格納部１２から取得して、入力カラー画像信号に対して色変換処理を行い、出力カラー画像信号を出力する。
【００５０】
もちろん、入力側と出力側のプロファイルが別の場合には、入力画像信号色変換部と出力画像信号変換部を設け、記録媒体ごとに作成された入力側のプロファイルを記録媒体指示部１及びプロファイル指定部２による指定に従ってプロファイルを選択し、入力画像信号色変換部で色変換を行うように構成することもできる。
【００５１】
なお、この第２の実施の形態においても、上述の第１の実施の形態と同様、例えば図５に示したような変形例など、上述の変形例の他にも各種の変形が可能である。
【００５２】
図１２は、本発明の第３の実施の形態における変形例を示すブロック図である。図中、２１は標準色変換係数補正部、２２は入力画像信号色変換部である。上述の第１及び第２の実施の形態では、指定されたプロファイルをそのまま利用するとともに、記録媒体の色再現特性の違いに関する部分を補正する例を示した。この第３の実施の形態では、記録媒体の色再現特性の違いに応じてプロファイルを変更する例を示している。
【００５３】
標準色変換係数補正部２１は、記録媒体指示部１で指定された記録媒体と標準記録媒体の色再現特性の違いに応じて、プロファイル指示部２で指定されたプロファイルを補正する。入力画像信号色変換部２２は、標準色変換係数補正部２１で補正されたプロファイルに従って、入力カラー画像信号の色変換を行う。なお、出力画像信号変換部５は図１と同様である。
【００５４】
このような構成でも、使用する記録媒体に対応した色再現が行われ、再現される色の一致を図ることができる。
【００５５】
図１３は、本発明の第３の実施の形態における動作の一例を示すフローチャートである。Ｓ６１において記録媒体指示部１でターゲット記録媒体を指定し、またＳ６２においてプロファイル指示部２でプロファイルを指定する。記録媒体の指定とプロファイルの指定は、いずれを先に行ってもよい。これらの指定は、例えば上述第１の実施の形態において図３や図４で示した設定画面において行うことができる。
【００５６】
ターゲット記録媒体とプロファイルの指定が終わったら、Ｓ６３において、標準色変換係数補正部２１は、指定されたターゲット記録媒体と標準記録媒体の色再現特性の違いに応じて、指定されたプロファイルを補正する。そしてＳ６４において、補正したプロファイルを用いて入力画像信号色変換部２２で色変換処理に用いる色変換係数を決定する。もちろん、指定されたターゲット記録媒体と標準記録媒体が一致した場合には、標準色変換係数補正部２１における補正を行わず、指定されたプロファイルから色変換係数を決定すればよい。
【００５７】
このようにしてＳ６４で決定した色変換係数を入力画像信号色変換部２２に設定し、入力カラー画像信号に対して入力画像信号色変換部２２で色変換処理を行い、さらに出力画像信号変換部５で実際に画像を形成する装置に依存した出力カラー画像信号に変換して出力すればよい。
【００５８】
図１４は、本発明の画像処理装置の機能及び画像処理方法をコンピュータプログラムで実現した場合におけるコンピュータプログラム及びそのコンピュータプログラムを格納した記憶媒体の一例の説明図である。図中、１０１はプログラム、１０２はコンピュータ、１１１は光磁気ディスク、１１２は光ディスク、１１３は磁気ディスク、１１４はメモリ、１２１は光磁気ディスク装置、１２２は光ディスク装置、１２３は磁気ディスク装置である。
【００５９】
上述の画像処理装置及び画像処理方法で説明した各機能について、その一部または全部を、コンピュータにより実行可能なプログラム１０１によって実現することが可能である。その場合、そのプログラム１０１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク１１１，光ディスク１１２（ＣＤやＤＶＤなどを含む）、磁気ディスク１１３，メモリ１１４（ＩＣカード、メモリカードなどを含む）等である。もちろんこれらの記憶媒体は、可搬型に限られるものではない。
【００６０】
これらの記憶媒体にプログラム１０１を格納しておき、例えばコンピュータ１０２の光磁気ディスク装置１２１，光ディスク装置１２２，磁気ディスク装置１２３，あるいは図示しないメモリスロットにこれらの記憶媒体を装着することによって、コンピュータからプログラム１０１を読み出し、本発明の画像処理装置及び画像処理方法を実行することができる。あるいは、あらかじめ記憶媒体をコンピュータ１０２に装着しておき、例えばネットワークなどを介してプログラム１０１をコンピュータ１０２に転送し、記憶媒体にプログラム１０１を格納して実行させてもよい。
【００６１】
もちろん、一部の機能についてハードウェアによって構成することもできるし、すべてをハードウェアで構成してもよい。あるいは、他のソフトウェアの一部として組み込むことも可能である。
【図面の簡単な説明】
【００６２】
【図１】本発明の第１の実施の形態を示すブロック図である。
【図２】本発明の第１の実施の形態における動作の一例を示すフローチャートである。
【図３】記録媒体指示部１及びプロファイル指示部２によるターゲット記録媒体及びプロファイルの指定画面の一例の説明図である。
【図４】記録媒体指示部１及びプロファイル指示部２によるターゲット記録媒体及びプロファイルの指定画面の別の例の説明図である。
【図５】本発明の第１の実施の形態における変形例を示すブロック図である。
【図６】本発明の第２の実施の形態を示すブロック図である。
【図７】本発明の第２の実施の形態における動作の一例を示すフローチャートである。
【図８】記録媒体指示部１、プロファイル指示部２、プロファイル記録媒体指示部１３による指定画面の一例の説明図である。
【図９】本発明の第２の実施の形態における変形例を示すブロック図である。
【図１０】プロファイル記録媒体予測部１４においてプロファイル作成時に用いた記録媒体を判定する方法の一例の説明図である。
【図１１】本発明の第２の実施の形態における別の変形例を示すブロック図である。
【図１２】本発明の第３の実施の形態における変形例を示すブロック図である。
【図１３】本発明の第３の実施の形態における動作の一例を示すフローチャートである。
【図１４】本発明の画像処理装置の機能及び画像処理方法をコンピュータプログラムで実現した場合におけるコンピュータプログラム及びそのコンピュータプログラムを格納した記憶媒体の一例の説明図である。
【図１５】代表的な紙質におけるＣＭＹＫ階調特性を示すグラフである。
【図１６】代表的な紙質における色再現域を示すグラフである。
【符号の説明】
【００６３】
１…記録媒体指示部、２…プロファイル指示部、３…記録媒体補正部、４…標準入力画像信号色変換部、５…出力画像信号変換部、６…標準入出力画像信号変換部、１１…プロファイル入力部、１２…プロファイル格納部、１３…プロファイル記録媒体指示部、１４…プロファイル記録媒体予測部、１５…プロファイル記録媒体表示部、１６…入出力画像信号変換部、２１…標準色変換係数補正部、２２…入力画像信号色変換部、１０１…プログラム、１０２…コンピュータ、１１１…光磁気ディスク、１１２…光ディスク、１１３…磁気ディスク、１１４…メモリ、１２１…光磁気ディスク装置、１２２…光ディスク装置、１２３…磁気ディスク装置。
【図１】
2005184116.tif 000003
【図２】
2005184116.tif 000004
【図３】
2005184116.tif 000005
【図４】
2005184116.tif 000006
【図５】
2005184116.tif 000007
【図６】
2005184116.tif 000008
【図７】
2005184116.tif 000009
【図８】
2005184116.tif 000010
【図９】
2005184116.tif 000011
【図１０】
2005184116.tif 000012
【図１１】
2005184116.tif 000013
【図１２】
2005184116.tif 000014
【図１３】
2005184116.tif 000015
【図１４】
2005184116.tif 000016
【図１５】
2005184116.tif 000017
【図１６】
2005184116.tif 000018